(57)【要約】【課題】クライアントを他の地域に移動しも、当該地のISPに自動的にアクセスできるようにする。【解決手段】クライアント内の適宜の装置に、アクセスを予定する複数のISPのVPI、VCI及びエンカプスレイションキャパシタンスを含む設定値を記録すると共に、ネットワーク接続用ソフトウエアと、上記の設定値を順次使用して、接続が完成するまで、アクセスを繰り返すソフトウエアをロードし、それらのソフトウエアを実行することにより、所期の目的を達成する。【選択図】図１
2006109187.tif 000002
【特許請求の範囲】
【請求項１】
コンピュータ(12)とモデム(14)とを具備するクライアント(10)からアクセスし、インターネット(30)を通じて所望のインターネットサービスプロバイダ(20：ISP)に接続する方法において、
複数のISPのバーチャルパス識別子(VPI)、バーチャルチャンネル識別子(VCI)及びエンカプスレイションキャパシタンスを含む設定値（以下単に、設定値と言う。）が記録された装置を用い、下記のステップを順次実行することを特徴とする、クライアント(10)を所望のISP(20)に接続する方法。
1.  ネットワーク接続用ソフトウエアを起動するステップ(S100)。
2.  所望のISP(20)にダイアルアップするステップ(S102)。
3.  予め記録された複数のISP(20)のうちの一つの設定値を、そのISP(20)に接続するための設定値として使用して、接続を試みるステップ(S104)。
4.  当該ISP局に検出パケットを送出し、ISP局からの検出信号を待つステップ(S106)。
5. 検出信号が得られないときは、予め記録された複数のISP(20)のうちの他の一つの設定値を選定し(S108)、そのISP(20)に接続するための設定値として使用し、再度当該ISP局に検出パケットを送出し、ISP局からの検出信号を待ち (S106)、検出信号が得られるまで、これを繰り返すステップ(S108)。
6.  予め記録された複数のISP(20)の総ての設定値が使用されても、接続検出信号が得られないときは、接続に失敗した旨のメッセージを、コンピュータ(12)に表示するステップ(S116)。
7.  接続検出信号が得られたときは、その接続状態を保持しながら、接続に成功した旨のメッセージを、コンピュータ(12)に表示し、予めPPPoE又はPPPoAで設定されているIDナンバー及びパスワードを送信し、接続完了信号を待つステップ(S110)。
8.  接続完了信号が得られないときは、クライアントに、IDナンバー及びパスワードのチェックと、再送信とを実行させるステップ(S112)。
9.  接続完了信号が得られたときは、そのISP(20)のホームページをコンピュータ(12)に表示するステップ(S114)。
【発明の詳細な説明】
【技術分野】
【０００１】
本発明は、クライアントのコンピュータを所望のISPに接続する方法に関する。
【背景技術】
【０００２】
今日、インターネットは広く普及しており、サーバを有しないクライアントにもインターネットを利用できるよう、公共のサーバを提供するISP、即ち、インターネットサービスプロバイダーが多数認可され、ダイアルアップ接続のほか、法人向けの専用線接続、メールアカウントの提供、Webページのスペース提供などのサービスを行っている。
【０００３】
然しながら、これらISPはそれぞれバーチャルパルス識別子（以下、単にVPIと言うものとする。）、バーチャルチャンネル識別子（以下、単にVCI と言うものとする。）、封装容量、即ちエンカプスレーション（Encapsulation）キャパシタンスなどの設定値が異なるので、アクセスするISPに合わせて、これらの設定値を変更する必要がある。
【０００４】
例えば、台北のISPのVPI／VCI設定値、台中のISPのVPI／VCI設定値、北京のVPI／VCI設定値、ニューヨークのISPのVPI／VCI設定値などは総て異なるから、それらのISPにアクセスする場合には、その都度そのISPに適合した設定値を選択しなければならない。
【発明の開示】
【発明が解決しようとする課題】
【０００５】
本発明は如上の問題点を解決するためになされたものであって、任意のISPにアクセスする場合、その都度そのISPに適合した設定値を選択することなく、自動的に接続を可能とする方法を提供することである。
【課題を解決するための手段】
【０００６】
本発明は、コンピュータとモデムとを具備するクライアントからアクセスし、インターネットを通じて所望のISPに接続する方法において、
複数のISPのVPI、VCI及び封装容量を含む設定値が記録された装置を用い、下記のステップ、即ち、
1.  ネットワーク接続用ソフトウエアを起動するステップ(S100)。
2.  所望のISPにダイアルアップするステップ(S102)。
3.  予め記録された複数のISPのうちの一つの設定値を、そのISPに接続するための設定値として使用して、接続を試みるステップ(S104)。
4.  当該ISP局に検出パケットを送出し、ISP局からの検出信号を待つステップ(S106)。
5. 検出信号が得られないときは、予め記録された複数のISPのうちの他の一つの設定値を選定し(S108)、そのISPに接続するための設定値として使用し、再度当該ISP局に検出パケットを送出し、ISP局からの検出信号を待ち (S106)、検出信号が得られるまで、これを繰り返すステップ(S108)。
6.  予め記録された複数のISPの総ての設定値が使用されても、接続検出信号が得られないときは、接続に失敗した旨のメッセージを、コンピュータに表示するステップ(S116)。
7.  接続検出信号が得られたときは、その接続状態を保持しながら、接続に成功した旨のメッセージを、コンピュータに表示し、予めPPPoE又はPPPoAで設定されているIDナンバー及びパスワードを送信し、接続完了信号を待つステップ(S110)。
8.  接続完了信号が得られないときは、クライアントに、IDナンバー及びパスワードのチェックと、再送信とを実行させるステップ(S112)。
9.  接続完了信号が得られたときは、そのISPのホームページをコンピュータに表示するステップ(S114)。
を順次実行することを特徴とする、クライアントを所望のISPに接続する方法によって達成される。
【発明の効果】
【０００７】
本発明は如上の如く構成されるから、本発明によるときは、アクセスするISPに適合する設定値を一々入力などすることなく、所望のISPに自動的に接続することができる。
【発明を実施するための最良の形態】
【０００８】
本発明は、クライアント内の適宜の装置に、アクセスを予定する複数のISPのVPI、VCI及び封装容量を含む設定値を記録すると共に、ネットワーク接続用ソフトウエアと、下記のステップを順次実行し得るソフトウエアをロードし、それらのソフトウエアを実行することによって達成される。
1.  ネットワーク接続用ソフトウエアを起動するステップ(S100)。
2.  所望のISPにダイアルアップするステップ(S102)。
3.  予め記録された複数のISPのうちの一つの設定値を、そのISPに接続するための設定値として使用して、接続を試みるステップ(S104)。
4.  当該ISP局に検出パケットを送出し、ISP局からの検出信号を待つステップ(S106)。
5. 検出信号が得られないときは、予め記録された複数のISPのうちの他の一つの設定値を選定し(S108)、そのISPに接続するための設定値として使用し、再度当該ISP局に検出パケットを送出し、ISP局からの検出信号を待ち (S106)、検出信号が得られるまで、これを繰り返すステップ(S108)。
6.  予め記録された複数のISPの総ての設定値が使用されても、接続検出信号が得られないときは、接続に失敗した旨のメッセージを、コンピュータに表示するステップ(S116)。
7.  接続検出信号が得られたときは、その接続状態を保持しながら、接続に成功した旨のメッセージを、コンピュータに表示し、予めPPPoE又はPPPoAで設定されているIDナンバー及びパスワードを送信し、接続完了信号を待つステップ(S110)。
8.  接続完了信号が得られないときは、クライアントに、IDナンバー及びパスワードのチェックと、再送信とを実行させるステップ(S112)。
9.  接続完了信号が得られたときは、そのISPのホームページをコンピュータに表示するステップ(S114)。
【実施例１】
【０００９】
図１は、本発明方法を実施し得る装置の１実施例を示す説明図、
図2は、本発明方法の構成を示す情報流れ線図、
図3は、接続試行中、コンピュータのディスプレイに示される表示の一例を示す説明図、
図4は、自動接続が成功し、利用者が所望のISPにアクセスできたとき、コンピュータのディスプレイに示される表示の一例を示す説明図、
図5は、自動接続が成功したが、利用者のIDナンバー及び／又はパスワードが誤っていたときに、コンピュータのディスプレイに示される表示の一例を示す説明図、
図6は、最終的に自動接続に失敗したときに、コンピュータのディスプレイに示される表示の一例を示す説明図である。
【００１０】
図１において、10はクライアント、20はISP、30はインターネットであり、クライアント10は、パーソナルコンピュータ12及びモデム14を具備し、ISP20はデータ処理装置22及びサーバー24から成る。又、32及び34はADSL回線であり、クライアント10は、ADSL回線32、34イ及びンターネット30を介してISP20にアクセスすることができる。
【００１１】
本実施例においては、パーソナルコンピュータ12には、移動先で接続が予測される総てのISP、例えば、台北、台中、北京、ニューヨークなどに所在のISPにアクセスするための設定値、例えば、台北のIPSのVPI1、VCI1、封装容量1を含む設定値、台中のIPSのVPI2、VCI2、封装容量2を含む設定値、北京のIPSのVPI3、VCI3、封装容量3を含む設定値、ニューヨークのIPSのVPIn、VCIn、封装容量nを含む設定値、などが記録、設定されている。
【００１２】
常時は、クライアント10が例えば台北に置かれており特定のISP20にアクセスする場合には別段問題は生じないが、クライアント10が例えば、台中、北京、ニューヨークに移され当該地のISPにアクセスする場合、既に利用契約が締結されていても、設定値の不整合により問題が生じる。
【００１３】
そのような場合、利用者はコンピュータに設定されている設定値を、アクセスしようとするIPSのそれに整合させるため、設定又は選択をする必要がある。
本発明は、そのような選択を自動的に行い、自動接続を行わせるものである。
【００１４】
図２は、その自動接続方法を示すフローチャートである。本発明方法においては、以下のステップを順次実行することにより、自動接続が行われる。
1.  先ず最初に、ステップS100において、ネットワーク接続用ソフトウエアを起動する。
2.  次に、ステップS102において、所望のISPにダイアルアップする。
3.  次いで、ステップS104で、予め記録された複数のISPのうちの一つの設定値を、そのISPに接続するための設定値として使用して、接続を試みる。
4.  引き続いて、ステップS106で、当該ISP局に検出パケットを送出し、ISP局からの検出信号を待つ。
5.  更に、検出信号が得られないときは、ステップS108において、予め記録された複数のISPのうちの他の一つの設定値を選定し、そのISPに接続するための設定値として使用し、ステップS106に戻り、再度当該ISP局に検出パケットを送出し、ISP局からの検出信号を待ち、検出信号が得られるまで、上記のステップを繰り返す。
6.  予め記録された複数のISPの総ての設定値が使用されても、接続検出信号が得られないときは、ステップS116で、接続に失敗した旨のメッセージをコンピュータに表示する。
7.  接続検出信号が得られたときは、ステップS110で、その接続状態を保持しながら、接続に成功した旨のメッセージをコンピュータに表示し、予めPPPoE又はPPPoAで設定されているIDナンバー及びパスワードを送信し、接続完了信号を待つ。
8.  接続完了信号が得られないときは、ステップS112で、クライアントに、IDナンバー及びパスワードのチェックと、再送信とを実行させる。
9.  接続完了信号が得られたときは、ステップS114で、そのISPのホームページをコンピュータに表示する。
【００１５】
本発明は叙上の如く構成されるから、本発明によるときは、クライアント10を移動しても当該地のISPに自動的に接続することが可能となる。
【００１６】
尚、本発明を実施するための装置は、叙上の実施例に限定されるものでなく、例えば、クライアントは、モデムを内蔵したモバイル型の情報処理装置、ノート型のパソコンなどであって良いこと勿論である。
【産業上の利用可能性】
【００１７】
本発明は可搬型の情報処理装置、パソコンなどに広く応用することができる。
【図面の簡単な説明】
【００１８】
【図１】本発明方法を実施し得る装置の１実施例を示す説明図である。
【図２】本発明方法の構成を示す情報流れ線図である。
【図３】接続試行中、コンピュータのディスプレイに示される表示の一例を示す説明図である。
【図４】自動接続が成功し、利用者が所望のISPにアクセスできたとき、コンピュータのディスプレイに示される表示の一例を示す説明図である。
【図５】自動接続が成功したが、利用者のIDナンバー及び／又はパスワードが誤っていたときに、コンピュータのディスプレイに示される表示の一例を示す説明図である。
【図６】最終的に自動接続に失敗したときに、コンピュータのディスプレイに示される表示の一例を示す説明図である。
【符号の説明】
【００１９】
10    クライアント
12    パーソナルコンピュータ
14    モデム
20    IPS
22    情報処理装置
24    サーバー
30    インターネット
32    ISDN
【図１】
2006109187.tif 000003
【図２】
2006109187.tif 000004
【図３】
2006109187.tif 000005
【図４】
2006109187.tif 000006
【図５】
2006109187.tif 000007
【図６】
2006109187.tif 000008